(57)【要約】【課題】  複数の方向からの操作性を向上させることができる操作表示装置および画像形成装置を提供する。【解決手段】  操作表示装置は、入力キー部８と、表示パネル９と、制御部とを備える。入力キー部８は、入力操作を受け付けるため部分である。表示パネル９は、入力操作に関する操作画面９０を表示する。制御部は、第１状態と第２状態とを切換可能である。第１状態では、入力キー部８の配置方向に一致した第１表示方向に合わせて、操作情報が表示部に表示される。第２状態では、入力キー部８の配置方向とは異なる第２表示方向に合わせて、操作画面９０が表示部に表示される。また、制御部は、第２状態において、入力キー部８の少なくとも一部の入力機能を有するタッチパネル式の入力補助画面９１を第２表示方向に合わせて表示パネル９に表示させる。【選択図】      図４
2005164681.tif 000002
【特許請求の範囲】
【請求項１】
入力操作を受け付けるための入力キー部と、
前記入力操作に関する操作情報を表示する表示部と、
前記入力キー部の配置方向に一致した第１表示方向に合わせて前記操作情報が前記表示部に表示される第１状態と、前記入力キー部の配置方向とは異なる第２表示方向に合わせて前記操作情報が前記表示部に表示される第２状態とを切換可能な制御部と、
を備え、
前記制御部は、前記第２状態において、前記入力キー部の少なくとも一部の入力機能を有するタッチパネル式の入力画面を前記第２表示方向に合わせて前記表示部に表示させる、
操作表示装置。
【請求項２】
前記第２表示方向は、前記入力キー部による前記入力操作が外部から行い難くなる方向である、
請求項１に記載の操作表示装置。
【請求項３】
前記第２状態においては、前記入力キー部は前記表示部に対して前記第２表示方向の上側に位置する、
請求項２に記載の操作表示装置。
【請求項４】
前記第１状態と前記第２状態とを切り換えるための外部からの入力を受け付けて前記制御部へと出力する外部切換入力部をさらに備える、
請求項１から３のいずれかに記載の操作表示装置。
【請求項５】
対峙する使用者の位置を検知し、前記使用者の位置により前記第１状態と前記第２状態との切り換えを判断して前記制御部へと出力する切換判断部をさらに備える、
請求項１から３のいずれかに記載の操作表示装置。
【請求項６】
前記制御部は、前記第２状態において、前記入力画面を前記第２表示方向に合わせて前記表示部に表示させる機能が実行可能であることを示す表示情報を表示させる、
請求項１から５のいずれかに記載の操作表示装置。
【請求項７】
請求項１から６のいずれかに記載の前記操作表示装置と、
前記操作表示装置への前記入力操作に従って画像形成機能を実行する画像形成機構と、
を備える画像形成装置。
【請求項８】
前記入力キー部は、前記画像形成機能を開始させるスタートキーを少なくとも含み、
前記入力画面は、前記スタートキーと同等の入力機能を有するスタートキー表示を含む、
請求項７に記載の画像形成装置。
【請求項９】
前記入力キー部は、前記入力操作において数値を入力するための数値キーを少なくとも含み、
前記入力画面は、前記数値キーと同等の入力機能を有する数値キー表示を含む、
請求項７または８に記載の画像形成装置。
【発明の詳細な説明】
【技術分野】
【０００１】
本発明は、操作表示装置および画像形成装置に関する。
【背景技術】
【０００２】
例えば複写機やプリンターなどの画像形成装置には、入力操作を受け付けたり操作情報を表示したりする操作表示装置が備えられることが多い。使用者等は、操作表示装置の表示部に表示される操作情報を見て画像形成装置の操作を行うことができる。しかし、使用者等は、このような装置に対して必ずしも一定方向から対峙して操作を行うとは限らない。そこで、複数の方向からの操作性を考慮して、表示部による表示方向を変更可能な操作表示装置が案出されている（特許文献１参照）。この操作表示装置は、FAXに備えられ、テンキーやモード変更キーなどがタッチパネルに表示されると共に、FAXの設置向きに応じてタッチパネルの表示方向が変更される。
【特許文献１】特開平５−１６０９３８号公報
【発明の開示】
【発明が解決しようとする課題】
【０００３】
しかし、上記のような操作表示装置とは異なり、入力操作を受け付けるための入力キー部が表示部とは別に設けられる表示操作装置も多い。このような入力キー部は、表示操作表示装置に固定的に設けられており、複数の方向からの操作性が低いという問題がある。
【０００４】
本発明の課題は、複数の方向からの操作性を向上させることができる操作表示装置および画像形成装置を提供することにある。
【課題を解決するための手段】
【０００５】
請求項１に記載の操作表示装置は、入力キー部と、表示部と、制御部とを備える。入力キー部は、入力操作を受け付けるため部分である。表示部は、入力操作に関する操作情報を表示する。制御部は、第１状態と第２状態とを切換可能である。第１状態では、入力キー部の配置方向に一致した第１表示方向に合わせて、操作情報が表示部に表示される。第２状態では、入力キー部の配置方向とは異なる第２表示方向に合わせて、操作情報が表示部に表示される。また、制御部は、第２状態において、入力キー部の少なくとも一部の入力機能を有するタッチパネル式の入力画面を第２表示方向に合わせて表示部に表示させる。
【０００６】
この操作表示装置では、使用者等が入力キー部の配置方向とは異なる第２表示方向から入力操作を行う場合であっても、操作情報が第２表示方向に合わせて表示されるため、使用者等が操作情報を読み取る事が容易である。また、入力キー部の少なくとも一部の入力機能を有するタッチパネル式の入力画面が第２表示方向に合わせて表示されるため、第２状態においては使用し難い入力キー部を使用せずに入力画面によって入力操作を容易に行うことができる。さらに、使用者等が第１表示方向から入力操作を行う場合には、第１表示方向に合わせて操作情報が表示された表示部と、入力キー部とを使用して入力操作を行うことができる。以上のように、この操作表示装置では、複数の方向からの操作性を向上させることができる。
【０００７】
請求項２に記載の操作表示装置は、請求項１に記載の操作表示装置であって、第２表示方向は、入力キー部による入力操作が外部から行い難くなる方向である。
【０００８】
この操作表示装置では、入力キー部による入力操作が外部から行い難くなる第２表示方向から入力操作が行われる場合に、第２表示方向に合わせた操作情報および入力画面によって、入力操作を行うことができる。このため、入力キー部による入力操作が外部から行い難くなる方向からの入力操作における操作性を向上させることができる。
【０００９】
請求項３に記載の操作表示装置は、請求項２に記載の操作表示装置であって、第２状態においては、入力キー部は表示部に対して第２表示方向の上側に位置する。
【００１０】
この操作表示装置では、入力キー部が表示部に対して第２表示方向の上側に位置する場合であっても、入力画面によって入力操作を行うことができる。使用者等が、第２表示方向に合わせて入力操作装置に対峙した場合、入力キー部が表示部に対して第２表示方向の上側に位置すると、入力キー部は使用者等に対して比較的離れた所に位置することになる。このため、使用者等にとっては、入力キー部による入力操作が行い難くなる。しかし、この操作表示装置では、使用者等に対して入力キー部よりも手前に位置する表示部に表示される入力画面によって、入力操作を行うことができる。これにより、入力キー部による入力操作が外部から行い難くなる方向からの入力操作における操作性を向上させることができる。
【００１１】
請求項４に記載の操作表示装置は、請求項１から３のいずれかに記載の操作表示装置であって、外部切換入力部をさらに備える。外部切換入力部は、第１状態と第２状態とを切り換えるための外部からの入力を受け付けて制御部へと出力する。
【００１２】
この操作表示装置では、外部切換入力部によって、第１状態と第２状態とを切り換えることができる。このため、使用者等が自らの選択によって、第１状態と第２状態とを切り換えることができる。
【００１３】
請求項５に記載の操作表示装置は、請求項１から３のいずれかに記載の操作表示装置であって、切換判断部をさらに備える。切換判断部は、対峙する使用者の位置を検知し、使用者の位置により第１状態と第２状態との切り換えを判断して制御部へと出力する。
【００１４】
この操作表示装置では、切換判断部が使用者の位置から自動的に判断して、第１状態と第２状態とを切り換えることができる。このため、使用者等が特別の操作を行わずに、自動的に第１状態と第２状態とを切り換えることができる。
【００１５】
請求項６に記載の操作表示装置は、請求項１から５のいずれかに記載の操作表示装置であって、制御部は、第２状態において、入力画面を第２表示方向に合わせて表示部に表示させる機能が実行可能であることを示す表示情報を表示させる。
【００１６】
この操作表示装置では、表示情報によって、入力画面が使用可能であることを使用者等に知らせることができる。このため、操作表示装置の機能を熟知していない使用者であっても、操作表示装置を適切に使用することができる。
【００１７】
請求項７に記載の画像形成装置は、請求項１から６のいずれかに記載の操作表示装置と、操作表示装置への入力操作に従って画像形成機能を実行する画像形成機構とを備える。
【００１８】
この画像形成装置では、複数の方向からの操作性を向上させることができる。画像形成装置は比較的大型なものが多く、使用者等が入力キー部の配置方向に合った方向へと回り込むことが煩雑なことがある。特に、使用者等が体の不自由な身障者である場合には、入力キー部の配置方向に合った方向へと回り込むことが困難である。この画像形成装置では、身障者のように入力キー部の配置方向に合った方向へと回り込むことが困難な使用者であっても、容易に入力操作を行うことができる。
【００１９】
請求項８に記載の画像形成装置は、請求項７に記載の画像形成装置であって、入力キー部は、画像形成機能を開始させるスタートキーを少なくとも含む。そして、入力画面は、スタートキーと同等の入力機能を有するスタートキー表示を含む。
【００２０】
この画像形成装置では、入力キー部の配置方向とは異なる方向からでも、入力画面に表れるスタートキー表示を用いて画像形成機能を開始させることができる。スタートキーは画像形成装置において頻繁に使用されるキーであるため、この画像形成装置では、入力キー部の配置方向とは異なる方向からでも容易に画像形成機能を開始させることができる。
【００２１】
請求項９に記載の画像形成装置は、請求項７または８に記載の画像形成装置であって、入力キー部は、入力操作において数値を入力するための数値キーを少なくとも含む。そして、入力画面は、数値キーと同等の入力機能を有する数値キー表示を含む。
【００２２】
この画像形成装置では、入力キー部の配置方向とは異なる方向からでも、入力画面に表れる数値キー表示を用いて数値の入力を行うことができる。数値キーは、画像形成装置において、数値の入力のために頻繁に使用されるキーであるため、この画像形成装置では、入力キー部の配置方向とは異なる方向からでも容易に数値を入力する入力操作を行うことができる。
【発明の効果】
【００２３】
請求項１に記載の操作表示装置では、複数の方向からの操作性を向上させることができる。
【００２４】
請求項２に記載の操作表示装置では、入力キー部による入力操作が外部から行い難くなる方向からの入力操作における操作性を向上させることができる。
【００２５】
請求項３に記載の操作表示装置では、入力キー部による入力操作が外部から行い難くなる方向からの入力操作における操作性を向上させることができる。
【００２６】
請求項４に記載の操作表示装置では、使用者等が自らの選択によって、第１状態と第２状態とを切り換えることができる。
【００２７】
請求項５に記載の操作表示装置では、使用者等が特別の操作を行わずに、自動的に第１状態と第２状態とを切り換えることができる。
【００２８】
請求項６に記載の操作表示装置では、操作表示装置の機能を熟知していない使用者であっても、操作表示装置を適切に使用することができる。
【００２９】
請求項７に記載の画像形成装置では、身障者のように入力キー部の配置方向に合った方向へと回り込むことが困難な使用者であっても、容易に入力操作を行うことができる。
【００３０】
請求項８に記載の画像形成装置では、入力キー部の配置方向とは異なる方向からでも容易に画像形成機能を開始させることができる。
【００３１】
請求項９に記載の画像形成装置では、入力キー部の配置方向とは異なる方向からでも容易に数値を入力する入力操作を行うことができる。
【発明を実施するための最良の形態】
【００３２】
＜第１実施形態＞
［構成］
図１及び図２に、本発明の第１実施形態にかかる画像形成装置１を示す。画像形成装置１は、コピー、プリンター、スキャナーなどの複数の画像形成機能を有する複合機である。
【００３３】
この画像形成装置１は、画像形成機構２と、入出力部３と、制御部４と、ＲＡＭ５と、ＲＯＭ６と、操作表示装置７とを備えている。
【００３４】
画像形成機構２は、操作表示装置７への入力操作に従って画像形成機能を実行する機構である。画像形成機構２は、初期状態での画像形成条件や、ＲＡＭ５に記憶された画像形成条件に従って画像形成を行う。画像形成機構２は、具体的には、図示しない感光体ドラム、主帯電装置、現像装置、転写装置及び定着装置を有している。感光体ドラムは、表面に静電潜像が形成されるものである。主帯電装置は、感光体ドラム表面を帯電させるための装置である。現像装置は、静電潜像が形成された感光体ドラム表面にトナーを供給してトナー像を形成する装置である。転写装置は、感光体ドラムのトナー像を用紙に転写するための装置である。定着装置は、転写されたトナー像を用紙に定着させるための装置である。
【００３５】
入出力部３としては、図示しない原稿読取部、給紙装置、通信部等がある。原稿読取部は、載置台３０に載置された原稿上の情報を読み取るためのものである。給紙装置は、給紙カセットに収納された用紙を画像形成機構２に搬送するための装置である。通信部は、画像形成装置１に接続されたパーソナルコンピュータ等の外部接続機器との間で画像形成に関する情報の送受信を行う部分である。
【００３６】
制御部４は、画像形成機構２及び入出力部３の動作を制御するためのものであって、具体的には、ＣＰＵで構成される。制御部４は、画像形成機構２、入出力部３、ＲＡＭ５、ＲＯＭ６及び操作表示装置７に接続されている。制御部４による制御内容については後に詳細に説明する。
【００３７】
ＲＡＭ５は、制御部４の作業領域として機能するほか、操作表示装置７の入力キー部８（後述）により入力された画像形成条件を一時的に保持する。
【００３８】
ＲＯＭ６は、制御部４によって行われる制御に関するプログラムや、画像形成機構２、操作表示装置７及び入出力部３の動作に関するプログラムを有している。
【００３９】
操作表示装置７は、入力操作を行うための部分であり、入力キー部８と、表示パネル９（表示部）と、外部切換入力部１０（図２参照）とを有している。
【００４０】
入力キー部８は、入力操作を受け付けて画像形成条件を入力するための部分である。入力キー部８は、図３に示すように、例えば、押しボタン式の構造を有する複数のハードキーによって構成されており、操作表示装置７の上面に固定的に設けられている。入力キー部８は、テンキー８０（数値キー）、リセットキー８１、スタートキー８２、ストップ／クリアキー８３などを有している。
【００４１】
テンキー８０は、入力操作において印刷枚数などの数値を入力するためのキーである。リセットキー８１は、保持された画像形成条件を手動で消去するためのキーである。スタートキー８２は、画像形成機能を開始させるためのキーであり、制御部４に対し、画像形成機構２による印刷を指示する。ストップ／クリアキー８３は、画像形成を中断したり、画像形成条件の入力を訂正するためのキーである。これらのキーは、使用頻度の高いキーであり、使用者にとって使用し易いように、画像形成装置１の正面方向（図１，図３及び図４の矢印Ａ１参照）から見て操作表示装置７上の右側部分に集約して配置されている。また、これらのキーは、画像形成装置１に対して正面方向から対峙する使用者等に合わせて配置される。さらに、各キーには、それぞれの機能を示す文字や数字が付されているが、これらの文字や数字も画像形成装置１に対して正面方向から対峙する使用者等に合わせて付されている。
【００４２】
表示パネル９は、操作表示装置７の上面に、正面方向から見て入力キー部８の側方に配置されている。表示パネル９は、操作画面９０や入力補助画面９１（入力画面）を表示する。
【００４３】
操作画面９０では、各種のキー表示９３や、画像形成条件等の入力操作に関する操作情報９２などが表示される。各種のキー表示９３とは、両面若しくは片面印刷、分割印刷、用紙サイズ、印字濃度等の画像形成条件を選択するためのタッチパネル式の表示である。使用者等は、キー表示９３に触れることによって画像形成条件などの入力が可能である。また、操作情報９２とは、複写機能の開始の可否、設定された画像形成条件、異常の発生などの情報である。なお、図３では、キー表示９３および操作情報９２の全てに符号を付するのではなく一部省略している。
【００４４】
この表示パネル９は、操作画面９０の表示に関して、第１状態と第２状態との２つの異なる表示態様を有する。使用者等は、外部切換入力部１０を用いて外部から入力を行うことによって、第１状態と第２状態とを切り換えることができる。なお、外部切換入力部１０は、例えば、操作画面９０上のタッチパネル式のキー表示９３や、操作表示装置７上に設けられるハードキーなどによって構成される。
【００４５】
第１状態では、図３に示すように、第１表示方向に合わせて操作情報９２が表示パネル９に表示される。第１表示方向は、画像形成装置１に正面方向から対峙する使用者等に合わせた方向であり、入力キー部８の配置方向に一致した方向である。従って、第１状態では、使用者等は、表示パネル９に表示された操作画面９０および入力キー部８を用いることによって、各種の操作を容易に行うことができる。
【００４６】
第２状態では、図４に示すように、第１表示方向とは異なる第２表示方向に合わせて、操作画面９０が表示パネル９に表示される。第２表示方向は、第１表示方向とは約９０度異なる方向であり、側方（図１、図３および図４の矢印Ａ２参照）から画像形成装置１に対峙する使用者等に合わせた方向である。従って、第２状態では、画像形成装置１に側方から対峙する使用者等にとって、操作画面９０が見易くなる。また、第２状態においては、側方から画像形成装置１に対峙する使用者等から見て、表示パネル９が手前に位置し、入力キー部８が奥側に位置する。このような第２状態においては、表示パネル９に入力補助画面９１が表示される。入力補助画面９１は、正面以外の方向からの入力操作を補助する画面であり、入力キー部８の機能の少なくとも一部を模したキー表示９４−９７を表示する。使用者等は、入力補助画面９１に表れたキー表示９４−９７に触れることによって、入力キー部８の機能を実施することができる。キー表示９４−９７は、例えば、入力キー部８のうち、テンキー８０、スタートキー８２、リセットキー８１、ストップ／クリアキー８３などの使用頻度の高いキーと同等の機能を有するテンキー表示９４、スタートキー表示９５、リセットキー表示９６、ストップ／クリアキー表示９７である。これらのキー表示９４−９７を含む入力補助画面９１は、第２表示方向に合わせて表示パネル９に表示される。
【００４７】
［制御部による制御内容］
制御部４は、使用者等による設定により、表示パネル９の表示方向を使用者等が参照し易い方向に変更する。また、変更された表示パネル９の表示方向が入力キー部８による入力操作が行い難い方向である場合には、入力キー部８に割り当てられた機能をタッチパネル操作によって実行できるようにする。以下、制御部４による制御内容について、図５および図６に基づいて説明する。
【００４８】
制御部４は、図５に示すように、画面表示変更処理を行う。画面表示変更処理では、まずステップＳ１０において、表示方向変更の入力が行われたか否かが判断される。ここでは、制御部４は、外部切換入力部１０へ行われる外部からの入力に基づいて、表示パネル９上での操作画面９０の表示方向の変更の可否を判断する。すなわち、制御部４は、外部切換入力部１０への入力に基づいて第１状態と第２状態との切換の可否を判断する。
【００４９】
ステップＳ１０において、表示方向変更の入力が行われたと判断されると、ステップＳ１１へと進む。ステップＳ１１では、制御部４は、操作画面９０の表示方向を変更して、第１状態と第２状態とを切り換える。制御部４は、第１状態から第２状態への切換、又は、第２状態から第１状態への切換を行う。
【００５０】
また、制御部４は、図６に示すように、タッチパネル処理を行う。タッチパネル処理では、まずステップＳ２０において、タッチパネル入力が行われたか否かが判断される。ここでは、使用者等が操作画面９０のキー表示に触れることによってタッチパネル操作が行われたか否かが判断される。ステップＳ２０においてタッチパネル入力が行われたと判断された場合、ステップＳ２１へと進む。ステップＳ２１では、タッチパネル入力処理が行われ、ステップＳ２２へと進む。ステップＳ２２では、表示方向が第２表示方向であるか否かが判断される。ここでは、制御部４は、表示パネル９の表示の態様が第１状態と第２状態とのいずれであるかを判断する。表示方向が第２表示方向ではない場合、すなわち第１状態である場合には、ステップＳ２０へと戻る。表示方向が第２表示方向である場合、すなわち第２状態である場合には、ステップＳ２３へと進む。ステップＳ２３では、入力補助画面９１による入力処理が行われる。ここでは、制御部４は、入力補助画面９１を第２表示方向に合わせて表示パネル９に表示させ、入力補助画面９１によるタッチパネル処理が行われる。なお、制御部４は、第１状態においては入力補助画面９１を表示パネル９に表示させない。
【００５１】
以上のように、制御部４は、表示パネル９の表示方向を使用者等に応じて切り換えると共に、入力キー部８が操作しにくい位置関係となる表示を行う場合には、入力キー部８を模して入力キー部８の機能を割り当てた入力補助画面９１を表示させる。
【００５２】
［特徴］
（１）
この画像形成装置１では、使用者等が側方から画像形成装置１に対峙する場合であっても、無理な体勢でキー操作を行う必要がなく、入力補助画面９１のタッチパネルによるキー操作で、キーに割り当てられた機能を実現することができる。入力補助画面９１は、側方から画像形成装置１に対峙する使用者等にとって見易い第２表示方向に合わせて表示される。また、側方から画像形成装置１に対峙する使用者等にとっては、入力キー部８よりも表示パネル９の方が手前に位置するため、入力補助画面９１の方が、手が届き易く入力操作が行い易い。このように、この画像形成装置１では、正面方向だけではなく正面方向とは異なる方向からの操作性が向上している。
【００５３】
（２）
使用者等が側方から画像形成装置１に対峙する場合における操作性を向上させるためには、入力キー部８の機能を有するキー表示を表示パネル９上に常に表示して表示方向を変更可能にすることも考えられる。しかし、このような場合には入力キー部８による入力が容易な方向においても表示パネル９にキー表示が表示される。すなわち、入力キー部８のようなハードキーが備えられている画像形成装置１においては、使用者等にとって不要な表示が行われることになる。
【００５４】
しかし、この画像形成装置１では、入力キー部８による入力操作が行い難い場合に、入力補助画面９１が表示される。このため、正面方向からの使用時には入力キー部８を用いて入力操作を行うことができ、側方からの使用時には入力補助画面９１を用いて入力操作を行うことができる。従って、使用者等にとって不要な表示が行われることが防止され、操作性がより向上している。
【００５５】
＜第２実施形態＞
上記の実施形態では、操作表示装置７に外部切換入力部１０が備えられており、制御部４は外部切換入力部１０への外部からの入力によって第１状態と第２状態との切換を判断している。しかし、図７に示すように、操作表示装置７に切換判断部１１が備えられてもよい。この切換判断部１１は、画像形成装置１に対峙する使用者等の位置を検知し、使用者等の位置により第１状態と第２状態との切り換えを判断して制御部４へと出力する。
【００５６】
他の構成については第１実施形態と同様である。
このような切換判断部１１が操作表示装置７に備えられることにより、使用者等が特別の入力操作を行うことなく自動的に表示方向が変更される。このため、利便性が向上する。
【００５７】
＜第３実施形態＞
上記の実施形態にかかる操作表示装置７において、表示の態様が第２状態にある場合には、入力補助画面９１を第２表示方向に合わせて表示パネル９に表示させる機能が実行可能であることを示すシンボル（表示情報）が表示パネル９に表示されてもよい。
【００５８】
他の構成については第１実施形態と同様である。
このような操作表示装置７では、シンボルによって、入力補助画面９１が使用可能であることを使用者等に知らせることができる。このため、操作表示装置７の機能を熟知していない使用者等であっても、操作表示装置７を適切に使用することができる。
【００５９】
＜他の実施形態＞
（ａ）
上記の実施形態にかかる画像形成装置１は、コピー、プリンター、スキャナーなどの複合機であるが、画像形成機能を有するものであれば、複写機、プリンター、スキャナーのいずれの形態であってもよく、他の機能との複合機であってもよい。
【００６０】
また、上記の実施形態にかかる操作表示装置７は、画像形成装置１に限らず所定の入力操作を複数の方向から行う可能性がある装置に対して適用可能である。
【００６１】
（ｂ）
上記の実施形態にかかる操作表示装置７では、第１表示方向と第２表示方向との２つの表示方向への表示が切り換えられるが、他の表示方向への変更が可能であってもよい。
【産業上の利用可能性】
【００６２】
本発明は、複数の方向からの操作性を向上させることができる効果を有し、操作表示装置および画像形成装置として有用である。
【図面の簡単な説明】
【００６３】
【図１】画像形成装置の外観図。
【図２】第１実施形態にかかる画像形成装置の制御ブロック図。
【図３】第１状態にある表示パネルを示す図。
【図４】第２状態にある表示パネルを示す図。
【図５】画面表示変更処理のフローを示す図。
【図６】タッチパネル処理のフローを示す図。
【図７】第２実施形態にかかる画像形成装置の制御ブロック図。
【符号の説明】
【００６４】
１          画像形成装置
２          画像形成機構
４          制御部
７          操作表示装置
８          入力キー部
９          表示パネル（表示部）
１０        外部切換入力部
１１        切換判断部
８０        テンキー（数値キー）
８２        スタートキー
９１        入力補助画面（入力画面）
９２        操作情報
９４        テンキー表示（数値キー表示）
９５        スタートキー表示
【図１】
2005164681.tif 000003
【図２】
2005164681.tif 000004
【図３】
2005164681.tif 000005
【図４】
2005164681.tif 000006
【図５】
2005164681.tif 000007
【図６】
2005164681.tif 000008
【図７】
2005164681.tif 000009